(57)【要約】【課題】プリンタ等による印刷処理の際に、給紙傷害、印字傷害が発生することを防止する。【解決手段】上部紙１１ａ、下部紙１１ｂを積層する本体用紙１１と、下部紙１１ｂに連接するシール用紙１２と、シール用紙１２上の強粘着剤１２ａ、粘着剤１２ｂを保護する剥離紙１３とを設ける。【選択図】図１
2007210181.tif 000002
【特許請求の範囲】
【請求項１】
上部紙、下部紙を積層する葉書大の本体用紙と、前記下部紙の一辺に連接し、前記上部紙上の秘密情報を隠蔽可能なシール用紙と、該シール用紙上の強粘着剤、粘着剤を保護し、前記上部紙と実質的に同一厚さの剥離紙とを備えてなり、剥離不能な感圧性の前記強粘着剤は、前記シール用紙の先端側の一辺に沿って細幅に配置し、剥離可能な感圧性の前記粘着剤は、前記強粘着剤の領域を除く前記シール用紙のほぼ全域に配置し、前記上部紙には、前記シール用紙を前記上部紙上に折り返すとき前記強粘着剤の領域を含む細幅の区画領域を形成し、該区画領域は、前記シール用紙を剥がすことにより、前記強粘着剤を介して厚さ方向の少なくとも一部が前記シール用紙側に移行することを特徴とする隠蔽葉書。
【請求項２】
前記区画領域は、ハーフカット線、切取り用のカット線、切取り用のミシン目のいずれかによって区画することを特徴とする請求項１記載の隠蔽葉書。
【請求項３】
前記区画領域は、前記下部紙に貼り合わせることを特徴とする請求項１または請求項２記載の隠蔽葉書。
【発明の詳細な説明】
【技術分野】
【０００１】
この発明は、葉書上の秘密情報を隠蔽し、開封された事実を証拠として残すことができる隠蔽葉書に関する。
【背景技術】
【０００２】
葉書上の秘密情報を隠蔽するために、隠蔽用のシールが用いられている。なお、隠蔽用のシールは、たとえば折返し用のミシン目を介して葉書と一体に連接し、いわゆる隠蔽葉書として構成することができる。
【０００３】
隠蔽葉書の隠蔽用のシールについて、折返しの先端側の端縁に沿って剥離不能な強粘着剤を細幅に塗布し、強粘着剤の領域の直近内側に切取り用のミシン目を形成するものが提案されている（特許文献１）。ただし、強粘着剤の領域以外の全域には、剥離可能な粘着剤が塗布されている。このものは、切取り用のミシン目に沿って隠蔽用のシールを破断しながら剥離して開封するものであり、秘密情報の秘密保持性を高めるとともに、切り離されたシールの一部が葉書上に残るから、開封された事実を証拠として確実に残すことができる。
【０００４】
なお、切取り用のミシン目を設けるに代えて、ハーフカット線による細幅の区画領域内に強粘着剤を配置してもよい（特許文献２）。隠蔽用のシールを剥がす際に、区画領域内の表面部分が層間剥離を生じてむしり取られ、開封後の葉書の表面に移行することにより、開封された事実を証拠として残すことができる。
【特許文献１】特開平７−１７１６５号公報
【特許文献２】特開２００５−３０５９５６号公報
【発明の開示】
【発明が解決しようとする課題】
【０００５】
かかる従来技術によるときは、折返し用のミシン目を介して葉書に連接する隠蔽用のシールは、葉書と同一厚さであり、隠蔽用のシール上の強粘着剤、粘着剤は、剥離処理を施した剥離紙を介して保護しなければならないから、葉書部分と、隠蔽用のシール部分とにおける合計紙厚さが異なる結果、プリンタ等による印刷処理の際に重大な給紙傷害、印字傷害を発生したり、他の書類とともに封書に封入するなどの際に自動機械処理が困難になったりすることがあるという問題があった。なお、粘着剤として、加圧によって自着性を発現するタイプを使用すれば、剥離紙の使用を排除し得るが、それでは、秘密情報の隠蔽処理の際に専用の高圧プレス機械が必要となり、一般性に欠けるという欠点がある。
【０００６】
そこで、この発明の目的は、かかる従来技術の問題に鑑み、上部紙、下部紙を積層する本体用紙と、下部紙の一辺に連接するシール用紙と、シール用紙上の剥離紙とを組み合わせることによって、全体の合計紙厚さを実質的に同一にし、プリンタ等による印刷処理を含む自動機械処理を支障なく実行することができる隠蔽葉書を提供することにある。
【課題を解決するための手段】
【０００７】
かかる目的を達成するためのこの発明の構成は、上部紙、下部紙を積層する葉書大の本体用紙と、下部紙の一辺に連接し、上部紙上の秘密情報を隠蔽可能なシール用紙と、シール用紙上の強粘着剤、粘着剤を保護し、上部紙と実質的に同一厚さの剥離紙とを備えてなり、剥離不能な感圧性の強粘着剤は、シール用紙の先端側の一辺に沿って細幅に配置し、剥離可能な感圧性の粘着剤は、強粘着剤の領域を除くシール用紙のほぼ全域に配置し、上部紙には、シール用紙を上部紙上に折り返すとき強粘着剤の領域を含む細幅の区画領域を形成し、区画領域は、シール用紙を剥がすことにより、強粘着剤を介して厚さ方向の少なくとも一部がシール用紙側に移行するとをその要旨とする。
【０００８】
なお、区画領域は、ハーフカット線、切取り用のカット線、切取り用のミシン目のいずれかによって区画することができ、下部紙に貼り合わせることができる。
【０００９】
ただし、この発明において、「ほぼ全域」とは、たとえばシール用紙の先端と強粘着剤との間、強粘着剤、粘着剤の各領域の間などに残す小幅のスペースを除く全域をいう。また、「ハーフカット線」とは、紙材の一方の面から他方の面に向けて切り込む刃物の軌跡であって、その切込み深さが紙材の厚さの全部でなく、一部に留まるものをいう。
【発明の効果】
【００１０】
かかる発明の構成によるときは、剥離紙は、本体用紙の上部紙と実質的に同一厚さであり、シール用紙は、本体用紙の下部紙に連接するから、本体用紙の部分と、剥離紙を含むシール用紙の部分とは、合計紙厚さが実質的に同一である。よって、プリンタ等による印刷処理に際しても、給紙傷害、印字傷害を発生するおそれがなく、その他の自動機械処理も、支障なく実行可能である。なお、シール用紙は、剥離紙を剥離し、強粘着剤、粘着剤を介して本体用紙の上部紙に接着することにより、上部紙上の秘密情報を隠蔽することができる。すなわち、シール用紙は、葉書大の本体用紙より大きくなく、上部紙上の秘密情報の表示領域を十分被覆可能な大きさであり、秘密情報を読み取ることができないように、光の透過性が十分小さいものとする。
【００１１】
秘密情報を読み取るときは、シール用紙を上部紙から剥離して開封するが、このとき、上部紙の区画領域内に位置する強粘着剤は剥離不能であるため、上部紙は、区画領域内の層間剥離を引き起してその表面部分のみがむしり取られ、または区画領域だけが切り離されてシール用紙側に細幅に移行し、開封された事実を証拠として確実に残すことができる。なお、このようにして区画領域内の表面部分がむしり取られるのは、ハーフカット線によって区画領域を区画する場合であり、このとき、上部紙の区画領域の部分は、下部紙に対して十分強固に貼り合わせておくものとする。また、切取り用のカット線、切取り用のミシン目によって区画領域を区画すると、区画領域だけが全部切り離されるが、このとき、上部紙の区画領域の部分は、下部紙に対し、全く貼り合わせないか、極く小さな接着力で貼り合わせるものとする。
【００１２】
以上のようにして、シール用紙を剥離すると、上部紙に形成されている区画領域の厚さ方向の少なくとも一部が強粘着剤を介してシール用紙側に移行するが、シール用紙を剥離するのに格別な配慮や技能は何ら必要でなく、一挙に簡単に剥離することができる。
【００１３】
本体用紙の上部紙、下部紙は、それぞれ上質紙、コート紙のいずれであってもよい。なお、区画領域を形成するハーフカット線、切取り用のカット線、切取り用のミシン目は、たとえば一対の転がしスリッタ刃を使用して等間隔の２条を形成することができるが、２条以上の多条としてもよく、梯子状にしてもよく、直線状に形成する他、曲線状、湾曲線状などに形成してもよい。ハーフカット線、切取り用のカット線、切取り用のミシン目の形態は、上部紙の紙質、特に厚さにより適宜決定することによって、強粘着剤を介し、区画領域内の表面部分を円滑にむしり取り、区画領域だけを円滑に切り離すことができる。また、区画領域は、紙端の破断開始位置に配置する切取り用のカット線と、残りの切取り用のミシン目との組合せにより区画してもよい。
【００１４】
シール用紙上の剥離可能な粘着剤、剥離不能な強粘着剤は、特に限定されるものではなく、公知の任意のものを使用することができる。粘着剤は、たとえば天然ゴム主成分の水性エマルジョン形感圧接着剤であって、乾燥後の剥離強度５〜２０g/cm程度の接着力を有するものが好ましく、強粘着剤は、同様の感圧接着剤であって、粘着剤の２倍程度の接着力を有するものが好ましい。なお、本体用紙の上部紙、下部紙も、同様の強粘着剤を使用して接着することができる。
【００１５】
シール用紙上の粘着剤、強粘着剤、本体用紙の上部紙、下部紙の積層用の強粘着剤は、共通の水性エマルジョン形感圧接着剤を使用し、それぞれの塗布厚みを調整して望ましい接着力を実現することができる。ただし、感圧接着剤は、一様に塗布するべた塗りの他、万線や網点、水玉模様などの塗布パターンにより接着力を調整してもよい。なお、上部紙、下部紙の積層用の強粘着剤は、下部紙上に配置すればよいから、下部紙と連続するシール用紙上の粘着剤、強粘着剤とともに、フレキソ印刷方式のアニロックスローラ上のセル容積を変化させ、またはアニロックスローラに接触させるドクタブレードの接圧（間隙）を変化させ、あるいは感圧接着剤の塗布パターンを決定する版胴の模様パターンを変化させるなどの１または２以上を併用することにより、１台の粘着剤塗布ユニットによりそれぞれの接着力を一挙に実現することができる。
【００１６】
シール用紙は、下部紙に連接させることにより、下部紙と連続している。そこで、剥離紙も、切取り用のミシン目または切取り用のカット線を介して上部紙の一辺に連接させ、上部紙に連続させることが望ましい。これにより、上部紙、下部紙の本体用紙の部分と、剥離紙、シール用紙の部分とが完全に同一紙厚さとなり、プリンタ等の印刷機械や自動機械に対して支障なく給紙して処理することができる。ただし、剥離紙は、上部紙と実質的に同一厚さの別体の紙片としてもよい。また、剥離紙は、使用時に粘着剤、強粘着剤から円滑に剥がして除去し得るように、シリコーン含有ニスなどによる離型処理を施すものとする。
【発明を実施するための最良の形態】
【００１７】
以下、図面を以って発明の実施の形態を説明する。
【００１８】
隠蔽葉書は、上部紙１１ａ、下部紙１１ｂを積層する本体用紙１１と、下部紙１１ｂの一辺に連接するシール用紙１２と、剥離紙１３とを備えてなる（図１、図２）。ただし、図１は、各用紙の厚さ方向を誇張して図示されている。
【００１９】
本体用紙１１は、葉書大に形成されている。シール用紙１２は、折返し用のミシン目１４を介し、下部紙１１ｂの長辺側の一辺に連接されている。ただし、シール用紙１２の幅は、下部紙１１ｂの幅より僅かに小さく設定されている。一方、剥離紙１３は、切取り用のカット線１５を介し、上部紙１１ａの長辺側の一辺に連接されており、上部紙１１ａ、剥離紙１３は、ほぼ同一幅に設定されている。なお、折返し用のミシン目１４は、下部紙１１ｂ、シール用紙１２の上面側から形成する折返し用の小溝状の罫線としてもよい。
【００２０】
上部紙１１ａは、下部紙１１ｂ上の強粘着剤１１ｃ、１１ｃを介し、下部紙１１ｂ上に積層されて接着されている。なお、上部紙１１ａには、平行な切取り用のミシン目１１ｄ、１１ｄを介して細幅の区画領域Ａが剥離紙１３と反対側の長辺に沿って形成されている。ただし、下部紙１１ｂ上の強粘着剤１１ｃ、１１ｃは、区画領域Ａに対応する部分が細幅の帯状に削除され、したがって、区画領域Ａの部分は、下部紙１１ｂに接着されていないものとする。
【００２１】
シール用紙１２上には、折返し用のミシン目１４に対向する先端側の一辺に沿って細幅の強粘着剤１２ａが配置され、強粘着剤１２ａの領域を除くほぼ全域には、粘着剤１２ｂが配置されている。強粘着剤１２ａ、粘着剤１２ｂは、それぞれ剥離不能、剥離可能な感圧性接着剤である。また、剥離紙１３の下面には、シール用紙１２上の強粘着剤１２ａ、粘着剤１２ｂをカバーするほぼ全域に離型処理１３ａが施されている。なお、下部紙１１ｂとシール用紙１２、上部紙１１ａと剥離紙１３の各全体形状は、互いに同形同大である。
【００２２】
かかる隠蔽葉書は、粘着剤１２ｂ、強粘着剤１２ａを介してシール用紙１２上に剥離紙１３を接着した状態で、本体用紙１１の部分、シール用紙１２、剥離紙１３の部分の各合計紙厚さが完全に同一である。そこで、隠蔽葉書は、プリンタなどの印刷機械に給紙し、下部紙１１ｂ、シール用紙１２の各下面、上部紙１１ａ、剥離紙１３の各上面に対し、任意の情報を印刷処理することができる。また、このとき、上部紙１１ａの上面の区画領域Ａと切取り用のカット線１５との間には、個人情報などの秘密情報を印字し、または、秘密情報を追加記入するための図示しない表示スペースを併せて印刷することができる。
【００２３】
上部紙１１ａ上に必要な秘密情報を印字し、または追加記入したら、シール用紙１２から剥離紙１３を剥離する（図１）。その後、折返し用のミシン目１４を介してシール用紙１２を上部紙１１ａ上に折り返し（図３（Ａ））、強粘着剤１２ａ、粘着剤１２ｂを介して接着すると、シール用紙１２により上部紙１１ａ上の秘密情報を隠蔽するとともに、全体を葉書大に形成することができるから、そのまま葉書として名宛人に郵送すればよい。ただし、このとき、たとえばシール用紙１２の上面側または下部紙１１ｂの下面側を宛名面として利用するものとする。
【００２４】
なお、このようにしてシール用紙１２を上部紙１１ａ上に折り返すと、シール用紙１２上の強粘着剤１２ａの領域は、上部紙１１ａの区画領域Ａに対応し、区画領域Ａに含まれる。また、このとき、シール用紙１２の先端は、強粘着剤１１ｃ、１１ｃを介して一体に接着されている上部紙１１ａ、下部紙１１ｂの紙端より僅かに後退し、区画領域Ａを接着する強粘着剤１２ａの領域との間に細幅の非接着領域Ｂが形成される。
【００２５】
そこで、葉書を受け取った名宛人は、たとえばシール用紙１２の非接着領域Ｂを指掛け部として利用してシール用紙１２を剥離し（図３（Ｂ）の矢印方向）、上部紙１１ａ上の秘密情報を開封して読み取ることができる。このとき、上部紙１１ａの区画領域Ａは、切取り用のミシン目１１ｄ、１１ｄを介して破断され、剥離不能な強粘着剤１２ａを介してシール用紙１２側に細幅に移行することにより、開封された事実を証拠として残すことができる。ただし、図３（Ｂ）は、シール用紙１２の剥離の途中段階を図示しており、シール用紙１２は、最終的に剥離可能な粘着剤１２ｂの全領域を剥離し、折返し用のミシン目１４を介して下部紙１１ｂと同一平面に復帰させることにより、上部紙１１ａ上の全情報を露出させることができる。
【００２６】
以上の説明において、強粘着剤１１ｃ、１１ｃを含む本体用紙１１は、１２８〜３８４g/m2とする必要があり、上部紙１１ａ、剥離紙１３は、たとえば８１g/m2の上質紙を使用することができ、下部紙１１ｂ、シール用紙１２は、たとえば１０４g/m2の上質紙を使用することができる。また、区画領域Ａ用の切取り用のミシン目１１ｄ、１１ｄは、それぞれたとえばカット部１．５mmタイ部０．２mmのミシン線とすることが好ましく、折返し用のミシン目１４は、たとえばカット部２mmタイ部１mmのミシン線とすることが好ましい。
【他の実施の形態】
【００２７】
シール用紙１２、剥離紙１３は、それぞれ葉書大の本体用紙１１の下部紙１１ｂ、上部紙１１ａの短辺側の一辺に連接することができる（図４）。ただし、同図において、下部紙１１ｂは、図示されていない。また、シール用紙１２、剥離紙１３は、上部紙１１ａ上の秘密情報を隠蔽するに足りる最小面積に形成され、本体用紙１１より十分小さい。そこで、上部紙１１ａの区画領域Ａは、シール用紙１２を上部紙１１ａ上に折り返すとき、シール用紙１２上の強粘着剤１２ａの領域を含むように、上部紙１１ａの長辺方向の中間位置に配置されている。
【００２８】
上部紙１１ａの区画領域Ａは、強粘着剤１１ｃ、１１ｃより小さい接着力の図示しない粘着剤を介し、下部紙１１ｂに貼り合わせてもよい。上部紙１１ａを下部紙１１ｂに接着する際に、区画領域Ａの部分に有害なしわや凹凸などが生じるおそれを少なくすることができる。また、このときの区画領域Ａは、切取り用のミシン目１１ｄ、１１ｄに代えて、切取り用のカット線を介して区画してもよく、破断開始位置に配置する切取り用のカット線と、残りの切取り用のミシン目との組合せにより区画してもよい。
【００２９】
上部紙１１ａの区画領域Ａは、ハーフカット線１１ｅ、１１ｅを介して区画することができる（図５（Ａ））。なお、図５の上部紙１１ａは、区画領域Ａを含むほぼ全域が強粘着剤１１ｃを介して下部紙１１ｂに貼り合わされている。
【００３０】
シール用紙１２を剥離して上部紙１１ａ上の秘密情報を開封すると（図５（Ｂ）の矢印方向）、上部紙１１ａの区画領域Ａは、層間剥離を起して表面部分のみがむしり取られ、厚さ方向の一部が強粘着剤１２ａを介してシール用紙１２側に細幅に移行し、秘密情報を開封した証拠として残る。
【００３１】
以上の説明において、シール用紙１２には、剥離の際の最初の指掛け位置を表示しておくことが好ましい。また、シール用紙１２は、透光性を少なくして上部紙１１ａ上の秘密情報の隠蔽性を高めるために、強粘着剤１２ａ、粘着剤１２ｂを配置するに先き立って、適切な連続文様を印刷し、または濃色に塗りつぶしておくことが好ましい。なお、剥離紙１３は、切取り用のカット線１５を介して上部紙１１ａに連接するに代えて、上部紙１１ａと実質的に同一厚さの別体の紙片としてもよい。
【図面の簡単な説明】
【００３２】
【図１】全体構成説明図
【図２】全体平面図
【図３】使用状態説明図
【図４】他の実施の形態を示す図２相当図
【図５】他の実施の形態を示す図３相当説明図
【符号の説明】
【００３３】
Ａ…区画領域
１１…本体用紙
１１ａ…上部紙
１１ｂ…下部紙
１１ｄ…切取り用のミシン目
１１ｅ…ハーフカット線
１２…シール用紙
１２ａ…強粘着剤
１２ｂ…粘着剤
１３…剥離紙
特許出願人          福島印刷株式会社
代理人  弁理士        松  田  忠  秋
【図１】
2007210181.tif 000003
【図２】
2007210181.tif 000004
【図３】
2007210181.tif 000005
【図４】
2007210181.tif 000006
【図５】
2007210181.tif 000007